(57)【特許請求の範囲】
【請求項１】
少なくとも、アンテナとなるドーナツ型コイル状銅線と、ＩＣチップを含む回路部と、前記ドーナツ型コイル状銅線より導出され前記回路部と電気的に接続する導線部と、被着体に貼付する面に剥離紙を備えた両面接着シートと、絶縁シートを備え、回路部をドーナツ内部に配置したドーナツ型コイル状銅線を前記両面接着シートに載置し、回路部周辺上部に接着剤を塗布し、両面接着シートと絶縁シートでドーナツ型コイル状銅線とＩＣチップを含む回路部を挟み込んで成るＩＣタグであって、
前記絶縁シートと前記ＩＣチップを含む回路部と前記両面接着シートそれぞれの接着力強度は、絶縁シートと回路部との接着力＞被着体と両面接着シートとの接着力＞両面接着シートと絶縁シートの接着力の関係にあることを特徴とするＩＣタグ。
【発明の詳細な説明】
【０００１】
【発明の属する技術分野】
本発明は、タグ情報を記憶したＩＣチップとアンテナを主な内部部品として持ち、被着体（物品等）に貼付され、非接触で外部装置との間で情報等の交信を行うＩＣタグに関するものである。
【０００２】
【従来の技術】
物品等に貼付されているタグ情報を自動的に読み取って識別するためのシステムとして、バーコード方式などがあるが、より大量の情報を扱え、遠隔読み出しが可能となるデータキャリアシステムと呼ばれるＩＣタグシステムの開発が進んでいる。
【０００３】
このＩＣタグシステムは、物品等に貼付されるＩＣタグと呼ばれる応答器と、質問器で構成され、これら応答器と質問器との間で、磁気、誘導電磁界、マイクロ波（電波）等の伝送媒体を介して非接触で交信を行うものである。
【０００４】
図１は従来のＩＣタグ構造を示す分解斜示図である。１はタグ情報を記憶したＩＣチップであり、２はアンテナとなるドーナツ型コイル状銅線である。ドーナツ型コイル状銅線２の巻きはじめの接続端部２ａと巻き終わりの接続端部２ｂはＩＣチップ１に直接接続され、ＩＣタグが構成される。
【０００５】
前記ドーナツ型コイル状銅線２の接続端部２ａ、２ｂを前記ＩＣチップ１に接続した後、絶縁シート３、両面接着シート４を用い、上下から挟んで接着してＩＣタグを完成する。前記両面接着シート４の物品等に貼付する面には剥離紙（不図示）が設けられている。前記ＩＣタグを直接物品等に貼り付けて用いる場合、剥離紙を剥がして物品等に貼付してタグ情報の自動認識システムにおける応答器として用いるものである。
【０００６】
図２は従来のＩＣタグを物品に貼り付けた状態を示す断面図である。シート３には粘着層５が形成されている。両面接着シート４にはＩＣチップ１を内側に配置したドーナツ型コイル状銅線２が載置され、前記絶縁シート３と両面接着シート４で挟まれてＩＣタグが構成されている。両面接着シート４の物品等に貼付する面には剥離紙（不図示）が設けられているが、物品に貼付するときに剥がして使用される。
【０００７】
【発明が解決しようとする課題】
ところで、物品に貼付されたＩＣタグは、貼り付けた物品そのもののタグ情報を記憶しているものなので、一度貼り付けたＩＣタグが他の物品に貼り替えられるようなことがあると誤ったタグ情報が認識されてしまい物品の取扱に悪影響を与えてしまう。そこで、物品に一度貼ったＩＣタグは、再度利用できないようなＩＣタグの構造にする必要がある。
図３は、図２のＩＣタグを剥がした状態を示す断面図である。図３に示すように、絶縁シート３（粘着層５）と両面接着シート４はそれぞれ分離して剥がれるが、ＩＣチップ１とドーナツ型コイル状銅線２は両面接着シート４に接着されたまま剥がれてしまう場合がある。この時ＩＣチップ１とドーナツ型コイル状銅線２が分離して剥がれれば、ＩＣタグは壊れてしまうので使えなくなる。しかし、図３のような状態で剥がれると、ＩＣタグの機能上ＩＣチップ１とコイル状銅線２は接続されたままなので、さらに両面接着シート４を物品６から剥がし取ることによってこれを他の物品に貼り替えて使用することができてしまう。また、図３の状態とは逆にＩＣチップ１とドーナツ型コイル状導線２が絶縁シート３の粘着層５に接着したまま剥がされることもある。この場合もそのまま他の物品に貼り替えての使用が可能となってしまう。
そこで、本発明は一度物品に貼付したＩＣタグを剥がそうとした場合に、ＩＣタグが確実に破壊される構造を提供しようとするものである。
【０００８】
【課題を解決するための手段】
少なくとも、アンテナとなるドーナツ型コイル状銅線と、ＩＣチップを含む回路部と、前記ドーナツ型コイル状銅線より導出され前記回路部と電気的に接続する導線部と、被着体に貼付する面に剥離紙を備えた両面接着シートと、絶縁シートを備え、回路部をドーナツ内部に配置したドーナツ型コイル状銅線を前記両面接着シートに載置し、回路部周辺上部に接着剤を塗布し、両面接着シートと絶縁シートでドーナツ型コイル状銅線とＩＣチップを含む回路部を挟み込んで成るＩＣタグであって、
前記絶縁シートと前記ＩＣチップを含む回路部と前記両面接着シートそれぞれの接着力強度は、絶縁シートと回路部との接着力＞被着体と両面接着シートとの接着力＞両面接着シートと絶縁シートの接着力の関係にあるＩＣタグとする。
【００１０】
【発明の実施の形態】
図４は本発明の一実施形態のＩＣタグを説明するための図で、物品（被着体）に貼付された状態の断面図である。７は両面接着シートでその一方の面にＩＣチップ９をドーナツ内部に配置したドーナツ型コイル状銅線８が載置され接着されている。さらにＩＣチップ９の周辺上部には接着剤１０が塗布され、絶縁シート１１と両面接着シート７でＩＣチップ９とドーナツ型コイル状銅線８とを挟み込んでＩＣタグを構成している。図示しないがドーナツ型コイル状銅線の巻きはじめの端部と巻き終わりの端部はＩＣチップ９に接続されている。両面接着シート７の物品１２に貼付する側の面には使用前においては剥離紙（不図示）が設けられており、被着体となる物品１２に貼付するときに剥がして使用されるものである。尚、絶縁シート１１には粘着層を設けない構造とする。
【００１１】
前記した本発明のＩＣタグを構成する絶縁シート１１、ＩＣチップ９、ドーナツ型コイル状銅線８、両面接着シート７それぞれの接着力強度は、接着剤１０によるＩＣチップ９とＩＣチップ９の周辺上部の絶縁シート１１との接着力を一番強く構成する。次に被着体（物品１２）と両面接着シート７との接着力を強く構成し、両面接着シート７と絶縁シート１１の接着力を一番弱い構成にしておく。
【００１２】
図５は図４に示すＩＣタグが剥がされる状態を示す図である。
ＩＣタグを剥がそうとする場合、ＩＣタグの外周部となる絶縁シート１１と両面接着シート７の方向から剥がされることになる。この時、物品１２と両面接着シート７の接着力は絶縁シート１１と両面接着シート７の接着力よりも強いので必然的に絶縁シート１１が両面接着シート７から分離して剥がれされることになる。さらにそのままＩＣタグの中心方向へ剥がされていくが、絶縁シート１１には粘着層が形成されていないのでドーナツ型コイル状銅線８とは簡単に分離し、ドーナツ型コイル状銅線８は両面接着シート７に接着されたまま残る。ＩＣチップ９はその周辺上部に塗布した接着剤１０によってその周辺に位置する絶縁シート１１および両面接着シート７の一部と共に強固に固定されている。前記接着剤１０と絶縁シート１１との接着強度はＩＣチップ９と両面接着シート７の接着強度よりも強く、また両面接着シート７と物品１２の接着強度よりも強い構成である。したがって、図５において上方に引っぱられる力が加わることによりＩＣチップ９は絶縁シート１１に接着されたままの状態で剥がれ、さらに接着剤１０が塗布された両面接着シートの一部を破壊しながら剥がれることとなる。これによりコイル状銅線８とＩＣチップ９は分離されるのでドーナツ型コイル状銅線の接続部（不図示）が切断されてＩＣダグが確実に破壊される。また、仮に両面接着シート７の一部が破壊されず、物品１２に貼付されたままの状態で残っても、ＩＣチップ９は絶縁シート１１側に接着されたまま残るので、ＩＣチップ９とドーナツ型コイル状銅線８は分離されＩＣタグは破壊される。
【００１３】
また、絶縁シート１１は一定の強度を有し、厚さが０．１ｍｍ程度の熱的安定性が優れるポリエステル系シートが好適であるが、両面接着シート７により接着され、且つＩＣチップ９を接着剤１０により強固に固定できる接着性を有するものであればその材質は限定されるものではない。
【００１４】
尚、本明細書中の両面接着シートとは、シートの両面に粘着層を有するもの、粘着層単体、又は粘着層を積層したものである。
【００１５】
【発明の効果】
両面接着シートと絶縁シートでＩＣチップとドーナツ型コイル状銅線を挟み込む際に、ＩＣチップの周辺部上部に接着剤を塗布したのでドーナツ型コイル状銅線と絶縁シートは容易に剥がれ両面接着シート側に残り、ＩＣチップは接着剤により絶縁シート側に接着されたまま剥がれる状態になるのでドーナツ型コイル状銅線とＩＣチップが分離され、ＩＣタグの破壊が可能となる。
【００１６】
絶縁シートと回路部の接着力強度を、被着体と両面接着シートとの接着力や両面接着シートと絶縁シートとの接着力強度より強く構成することにより、ＩＣチップの絶縁シート側への接着力を強固なものにできる。
【図面の簡単な説明】
【図１】従来のＩＣタグを示す分解斜示図
【図２】従来のＩＣタグを物品に貼付した状態を示す断面図
【図３】図２のＩＣタグを剥がした状態を示す断面図
【図４】本発明の一実施形態で、ＩＣタグを物品に貼付した状態の断面図
【図５】図４に示すＩＣタグを剥がした状態を示す図
【符号の説明】
１    ＩＣチップ
２    ドーナツ型コイル状銅線
２ａ  接続端部
２ｂ  接続端部
３    絶縁シート
４    両面接着シート
５    粘着層
６    物品
７    両面接着シート
８    ドーナツ型コイル状銅線
９    ＩＣチップ
１０    接着剤
１１    絶縁シート
１２    物品
【図１】
0004117989.tif 000002
【図２】
0004117989.tif 000003
【図３】
0004117989.tif 000004
【図４】
0004117989.tif 000005
【図５】
0004117989.tif 000006